(57)【要約】      （修正有）【課題】  一般に首まで浸かる入浴は水圧による負担が心臓や肺にかかり、良くないとされている。更に浴湯の温度が高く首まで浸かる全身浴は血液粘度が上昇し易いので、高血圧症の人や高齢者には良くないと言われている。そこで４０℃以下の安価で健康的な半身浴が可能なサウナ式健康風呂を提供する。【解決手段】  一般家庭の風呂場にある浴槽内の浴湯と浴槽蓋との間の浴槽空間内にある高温多湿な空気をそのまま利用するため、浴槽に蓋をする形の頭を出せる開口部を設けた囲い１を作り、これを浴槽縁の上と浴槽蓋に接して載せ、更に高温多湿な空気を健康的に利用するため、サウナ室空間に置かれたサウナ用台４に人が座した時、座した人のみぞおち下・みぞおち上から首まで・頭の夫々の部位に浴湯・高温多湿な空気・風呂場の空気にさらしながら半身浴出来るよう家族に合致した寸法に予め調節しておく。【選択図】図２
2006136683.tif 000002
【特許請求の範囲】
【請求項１】
浴槽縁の上面及び浴槽蓋と接して浴槽に蓋をする形の囲いと半身浴中に座るサウナ用台、および一般家庭で使用している風呂場の浴槽・浴湯・浴槽蓋を組み合わせて体の各部に接する温度分布が健康的に配分される構造を特徴とするサウナ式半身浴健康風呂。
【請求項２】
請求項１の囲いは、内面高さを半身浴中に座るサウナ用台に座した人の首までの高さで肩を包む大きさとし、同囲いの上面には座した人が頭を出せる開口部を設けた構造を特徴とする囲いを備えたサウナ式半身浴健康風呂。
【請求項３】
請求項２の囲いに、その上面に設けた開口部に沿って所定の高さのマフラーを追設していることを特徴とする囲いを備えたサウナ式半身浴健康風呂。
【請求項４】
請求項１、２及び３のサウナ式半身浴健康風呂において、囲いと浴槽縁および浴槽蓋の接触面がずれて、その隙間から浴槽内の空気が漏れないようずれ止め対策を設けたことを特徴とするサウナ式半身浴健康風呂
【発明の詳細な説明】
【発明の詳細な説明】
【技術分野】
【０００１】一般家庭の風呂は浴槽中の浴湯が冷めないよう又浴槽内の湿気が外に出ないよう浴槽縁の上面に接して浴槽蓋がある。この為、浴湯と浴槽蓋間の空気は浴湯に近い温度で高湿度となっている。例えば私の実測では風呂場の気温１９℃、浴湯温度３９℃の時、浴槽内の浴湯と市販の浴槽蓋との間の空間にある空気の温度は３６℃で、湿度は１００％近くであった。本発明はこの浴槽内の浴湯と浴槽蓋との間の空間並びに同空間内の高温高湿の空気を半身浴に利用したものである。
【背景技術】
【０００２】一般にみぞおちまでの半身浴が血液粘度の上昇防止や心臓・健康に良いとして薦められているが、半身浴中の浴湯中にない上半身の保温策をしなければ、同部分は浴湯温度より２０℃以上低い風呂場の温度にさらされることになり、特に冬場は健康上かえって好ましくなく、従って半身浴は薦められてはいるが、中々普及されていないのが実情である。
【発明が解決しようとする課題】
【０００３】半身浴中、浴湯に浸っていない上半身の保温を、如何にして一般家庭でも容易且つ簡便・安価に得て健康のため普及を図れるか。
【課題を解決するための手段】
【０００４】一般家庭にある浴槽内の浴湯と浴槽蓋との間の密閉空間（以下ここでは単に浴槽空間と呼ぶ）を利用するため、半身浴中の人の上半身を浴槽空間内の空気ごと上から包み、同浴槽空間内にある高温高湿な空気をそのまま無駄なく利用できる構造の囲いを作り、これを浴槽縁の上や浴槽蓋に接して載せる。
こうして出来上がった囲いと浴湯間に出来た高温高湿な空気を持つ密閉空間（以下ここでは単にサウナ室空間と呼ぶ）を健康的に利用するため、サウナ室空間に置かれたサウナ用台に人が座した時、座した人のみぞおち下・みぞおち上から首まで・頭に相当する夫々の位置にあたる浴湯・高温高湿な空気・風呂場の空気、にさらしながら半身浴出来るよう囲いを家族に合致した寸法に調節して課題の解決を図る。
【発明を実施するための最良の形態】
【０００５】  サウナ室空間の一部を構成する囲い１には結露し難い断熱材を使用し、イメージとして長方形の６面体の箱の長い面の一面を取り除き、その取り除いた面の側を浴槽側にして蓋をした構造のものである、  但し形は断面が半円、山形など各種あり箱型にこだわらない。同囲いを一般家庭の風呂場で現在使用中の市販品の浴槽蓋と浴槽縁に接して置くことにより、同囲いと浴湯間に密閉されたサウナ室空間１０が出来る。図１は一般家庭の風呂場に本発明による囲いを載せたサウナ式半身浴健康風呂の全体図を示す。
半身浴はサウナ室空間に置いたサウナ用台４に座して行う。このとき浴湯の量またはサウナ用台の高さは、半身浴を利用する家族がサウナ用台上に座したとき浴湯の上面がみぞおち辺りになるのをベストとして予め調節しておく。図２は図１のＡ−Ａ断面図であり、半身浴中の断面図を示す。
囲いの高さは、囲いによって作られたサウナ室空間の内面高さが浴槽内に半身浴用として置いたサウナ用台に人が座したとき座した人の首までの高さで、肩を包む大きさとし、又囲いの上面には同じく人が座したとき囲いの外部に頭を出せる開口部２を設ける。
以上により、囲いによって生じた囲いと浴湯間には半身浴を利用する人即ち家族に合った保温性の高い密閉空間としてのサウナ室空間１０、並びに浴湯によって生じた浴湯に近い温度で高湿度の空気が充満するサウナ室空間１０が出来上がる。【０００６】風呂場に暖房が無く風呂場の温度が低い特に冬場の場合、半身浴中の人をより温かくする意味からマフラー３を囲いの開口部上に付ける。マフラーの高さは風呂場の温度や使用する家族の嗜好によって好みの高さ、つまり所定の高さに調整する。【０００７】風呂を沸かすには浴槽全体を浴槽蓋で覆った普通の風呂のままの状態で炊き上げる。
普通の入浴は何時ものように、浴槽蓋を開け、そのまま入浴する。
半身浴は浴槽蓋をマーク１４に合わせて半折に開いてから浴槽に入り、サウナ用台上に座る、但し蓋の開け具合は好き勝手でもよく、サウナ台上に座ってから浴槽蓋をマーク１４に合わせた位置に半折に開いてもよい。次に囲いを頭からかぶる形で浴槽縁に載せた後、浴槽蓋に接して置き、半身浴状態に入る図２参照。発汗し、十分暖まって浴槽から出る場合は、サウナ台上に座ったままで囲いを頭上から脱ぐように除いてから浴槽を出る。
半身浴の状態から続づいて肩まで浴湯に浸りたい場合は、サウナ用台を外してそのまま浸っても良いし、サウナ用台上に座ったまま囲いを取り除いてから同台を外し、肩まで浸るの何れでも良い。
半身浴が終わり浴室を出るときは、浴槽蓋を浴槽縁の全面に載せて風呂を炊き上げた状態に戻す。【０００８】半身浴を使用しないときは、囲いとサウナ用台を風呂場から持ち出し、後は普通の風呂として使用するだけ。【０００９】囲いを置く位置が浴槽縁や浴槽蓋との接触部から外れるのを防止するずれ対策として色々あるが、以下一例を示す。
左右のずれ対策は囲いの浴槽蓋に接する側の下部の両端に切り込みを入れ、ずれ止め１３とした。前後のずれ対策は囲いを置く位置即ち浴槽蓋の開口範囲を示すマーク１４を浴槽縁に表示しておく。又囲いの厚さが薄い場合は浴槽縁との接触面積が少ないので、これを増す意味から当て板１２を囲いに接着して接触面積を増す。
【発明の効果】
【００１０】通常の入浴要領で調節された温度となった浴湯のある０００５に記述のサウナ室空間内に人が座した時、その人はみぞおちより下は入浴温度の浴湯内に、みぞおちより上は浴湯の温度より若干低く且つ湿度１００％近くの空気で満たされたサウナ室空間１０内に、頭は更に低い温度の浴室空間にあることになる。市販の浴槽蓋を使用した私の実側では、浴室温度１９℃、浴湯温度３９℃のとき、サウナ室空間温度は３６℃。本発明による囲いを使用して人がサウナ中の時のサウナ室空間温度は３３℃であった。  従って、高温高湿な空気に浸かりながら、心臓に負担がかからず、心地よい雰囲気の中で、芯から湯冷めし難い体に温まることが出来る。冬場空気の乾燥時期には半身浴中湿った空気を十分に吸うことも出来るし、又風呂場に暖房が無く冷えている場合はマフラー３を付け首部を更に保温しながら半身浴出来る。
しかもこの半身浴環境は囲いとサウナ用台の外は他に一切の設備も改造もなく、余分なランニングコストも必要なく、手持ちの風呂場そのままの状態で簡単に即サウナ式半身浴健康風呂に変身できる。
使い勝手としても、肩まで浴湯に浸りたい時は簡単に座しているサウナ用台を外し、囲いを除けるだけでよく、又半身浴を使用しない時期には囲いとサウナ用台を除くだけで普通の風呂に戻れる。
従ってどの家庭でも気軽に採用でき、これを使用して家族そろって健康に過ごすことが出来る。
【図面の簡単な説明】
【００１１】
【図１】  一般家庭にある浴槽に本発明の囲いを載せたサウナ式半身浴健康風呂の全体図である。
【図２】  図１のＡ−Ａ断面図で、半身浴中の断面図である。
【図３】  図２の断面図の中の囲いの開口部にマフラー３を取り付けた断面図である。
【図４】  図１のＢ−Ｂ断面図で、囲い１の浴槽蓋に接する側の下方に左右ずれ止め切り欠き１３を示す断面図である。
【符号の説明】
【００１２】１  囲い
２  囲いの開口部
３  マフラー
４  サウナ用台
５  サウナ用台に座しているサウナ中の人
６  浴槽
７  浴槽縁
８  浴槽蓋
９  浴槽空間
１０サウナ室空間
１１浴湯
１２当て板
１３ずれ止め切り欠き
１４マーク
【図１】
2006136683.tif 000003
【図２】
2006136683.tif 000004
【図３】
2006136683.tif 000005
【図４】
2006136683.tif 000006